(57)【要約】【課題】  コントラストを低下させることなく誘目性をより高めることができる情報表示装置を提供する。【解決手段】  文字／図柄表示用ＬＥＤ（ＬＲｍｎ，ＬＧｍｎ，ＬＢｍｎ）は、第１の制御部ＤＲにより点灯が制御されることにより、表示部Ｍに文字／図柄情報が表示される。バックライト用ＬＥＤ（ＬＥｍｎ）は、第２の制御部ＤＷにより、その輝度が制御され、表示部Ｍのバックライトの光量を調節する。【選択図】          図１
2007094333.tif 000002
【特許請求の範囲】
【請求項１】
文字／図柄表示用ＬＥＤおよび文字／図柄表示用ＬＥＤとは別のバックライト用ＬＥＤを有するＬＥＤユニットをドットマトリクス状に配置した表示部と、
文字／図柄表示用ＬＥＤの点灯を制御する第１の制御部と、
バックライト用ＬＥＤの輝度を制御する第２の制御部とを具備することを特徴とする情報表示装置。
【請求項２】
前記文字／図柄表示用ＬＥＤは、赤色ＬＥＤ、緑色ＬＥＤおよび青色ＬＥＤから構成され、バックライト用ＬＥＤは、白色ＬＥＤから構成されることを特徴とする請求項１記載の情報表示装置。
【請求項３】
前記第１の制御部は、前記表示部に抜き文字／図柄を表示可能に構成されることを特徴とする請求項１または２記載の情報表示装置。
【発明の詳細な説明】
【技術分野】
【０００１】
本発明は、道路情報等を表示する情報表示装置に関する。
【背景技術】
【０００２】
高速道路や一般道の路傍において注意換気や各種の道路情報等を表示する情報表示装置が公知である。このような情報表示装置の表示部には、複数色のＬＥＤによって構成されるＬＥＤユニットをドットマトリクス状に配置して、各ＬＥＤを発光させて文字や図柄からなる道路情報等を表示している。
【０００３】
このような情報表示装置は、自動車のドライバや歩行者等に迅速かつ的確に情報を提供する性格を有するため、より見易い情報表示とすべくＬＥＤユニットの輝度調整が必要である。このため、情報表示装置の表示部の表示面全体の輝度を制御して、例えば、すべてのＬＥＤ（ＬＥＤユニット）に対し、昼間は夜間より輝度を上げ、夜間は昼間より輝度を下げるような昼夜二段切り替えを行っている。
【０００４】
また、ＬＥＤユニット間の輝度の不揃いを解消すべくＬＥＤユニットごとに輝度を調整する構成も公知となっている（例えば、特許文献１）。
【特許文献１】特開平１０−１７１４０６号公報
【発明の開示】
【発明が解決しようとする課題】
【０００５】
しかし、このような従来の情報表示装置においては、以下のような問題があった。すなわち、情報表示装置の表示部の表示面全体の輝度を上げてしまうと、情報表示装置の存在は知覚し易くなる（誘目性が高くなる）代わりに、表示部内のコントラストが低下し、表示部上の文字／図柄が判別し難い。一方で、情報表示装置の表示部全体の輝度を下げてしまうと、各文字／図柄の点灯表示によるコントラストは高くなって情報自体は見易くなる代わりに、誘目性が低下してしまい、情報表示装置の存在に気付くのが遅れて結局情報を見過ごしてしまう可能性が高くなる。
【０００６】
また、ＬＥＤユニットを構成するＬＥＤのうち、文字／図柄表示に用いるＬＥＤの１つ（１色）をすべてのＬＥＤユニットについて同様に輝度調整する（例えば、赤色ＬＥＤ、緑色ＬＥＤおよび青色ＬＥＤをそれぞれ１つ有するＬＥＤユニットのうち、いずれか一色のＬＥＤについて昼夜二段切り替えを行う）ことも行われるが、各色の混合の割合が変化してしまうこととなり、色のバランスが悪くなり、結果として情報が見辛い場合があった。
【０００７】
さらに、ＬＥＤユニットごとに輝度を調整することとしても、文字／図柄表示全体として輝度を調整する場合には、上記のような誘目性とコントラストとの両立を図ることが困難であった。
【０００８】
本発明は、かかる従来技術の問題点を解決するべくなされたもので、コントラストを低下させることなく誘目性をより高めることができる情報表示装置を提供することを目的とする。
【課題を解決するための手段】
【０００９】
本発明に係る情報表示装置は、文字／図柄表示用ＬＥＤおよび文字／図柄表示用ＬＥＤとは別のバックライト用ＬＥＤを有するＬＥＤユニットをドットマトリクス状に配置した表示部と、文字／図柄表示用ＬＥＤの点灯を制御する第１の制御部と、バックライト用ＬＥＤの輝度を制御する第２の制御部とを具備することを特徴とするものである。
【００１０】
上記構成の情報表示装置によれば、ＬＥＤユニットが文字／図柄表示用ＬＥＤとバックライト用ＬＥＤとを有しており、このようなＬＥＤユニットをドットマトリクス状に配置することにより表示部が構成されている。文字／図柄表示用ＬＥＤは、第１の制御部により点灯が制御されることにより、表示部に文字／図柄情報が表示される。バックライト用ＬＥＤは、第２の制御部により、その輝度が制御され、表示部のバックライトの光量を調節する。
【００１１】
このように、文字／図柄表示用ＬＥＤとは別のバックライト用ＬＥＤを用い、独立して制御するため、文字／図柄表示用ＬＥＤにより文字／図柄情報のコントラストを確保した上で、バックライト用ＬＥＤにより誘目性をより高めることができる。
【００１２】
好ましくは、前記文字／図柄表示用ＬＥＤは、赤色ＬＥＤ、緑色ＬＥＤおよび青色ＬＥＤから構成され、バックライト用ＬＥＤは、白色ＬＥＤから構成される。
【００１３】
この場合、文字／図柄表示用ＬＥＤが赤色、緑色および青色の３色のＬＥＤで構成されるため、様々な態様の情報表示が可能となる。また、バックライト用ＬＥＤとして白色のＬＥＤを用いるため、混色が生じ難くバックライト点灯時に文字／図柄表示の色調に与える影響をより小さくすることができる。
【００１４】
好ましくは、前記第１の制御部は、前記表示部に抜き文字／図柄を表示可能に構成される。
【発明の効果】
【００１５】
本発明に係る情報表示装置によれば、文字／図柄表示用ＬＥＤとは別のバックライト用ＬＥＤを用い、独立して制御するため、文字／図柄表示用ＬＥＤにより文字／図柄情報のコントラストを確保した上で、バックライト用ＬＥＤにより誘目性をより高めることができる。
【発明を実施するための最良の形態】
【００１６】
以下、添付図面を参照しつつ、本発明を実施するための最良の形態について説明する。図１は本発明の一実施形態に係る情報表示装置における表示部の概略構造図であり、図２は図１の表示部を制御する制御部の概略図である。
【００１７】
本実施の形態に係る情報表示装置は、図１に示すように、文字／図柄表示用ＬＥＤとして赤色ＬＥＤ（ＬＲｍｎ：ｍ，ｎは０〜７のいずれかの整数）、緑色ＬＥＤ（ＬＧｍｎ）および青色ＬＥＤ（ＬＢｍｎ）と、文字／図柄表示用ＬＥＤ（ＬＲｍｎ，ＬＧｍｎ，ＬＢｍｎ）とは別のバックライト用ＬＥＤとして白色ＬＥＤ（ＬＷｍｎ）とで構成されるＬＥＤユニットＬｍｎをドットマトリクス状に配置した表示部Ｍを有している。そして、図２に示すように、文字／図柄表示用ＬＥＤ（ＬＲｍｎ，ＬＧｍｎ，ＬＢｍｎ）の点灯を制御する第１の制御部ＤＲ，ＤＧ，ＤＢと、バックライト用ＬＥＤ（ＬＷｍｎ）の輝度を制御する第２の制御部ＤＷとを具備する。
【００１８】
ＬＥＤユニットＬｍｎは、文字／図柄表示用ＬＥＤの三色分のＬＥＤ（ＬＲｍｎ，ＬＧｍｎ，ＬＢｍｎ）３つと白色のバックライト用ＬＥＤ（ＬＷｍｎ）１つとで構成され、これを１ドットとして、ＬＥＤユニットＬｍｎをドットマトリクス状に配置して、例えば、図１の８×８ドットのように、面発光表示可能な表示部Ｍを実現している。
【００１９】
また、赤色ＬＥＤ（ＬＲｍｎ）、緑色ＬＥＤ（ＬＧｍｎ）、青色ＬＥＤ（ＬＢｍｎ）および白色ＬＥＤ（ＬＷｍｎ）のそれぞれについてドットマトリクス制御可能とすべく制御回路が組まれた制御部ＤＲ，ＤＧ，ＤＢ，ＤＷが接続されている。なお、図２においては、赤色ＬＥＤ（ＬＲｍｎ）のための制御部ＤＲにのみ回路図が描かれているが、他の制御部ＤＧ，ＤＢ，ＤＷにおいても同様に構成される。
【００２０】
ここでは、赤色ＬＥＤ（ＬＲｍｎ）のための制御部ＤＧについて説明する。制御部ＤＲは、ドットマトリクス状に配置された赤色ＬＥＤ（ＬＲｍｎ）に対し、水平方向の制御線Ｒｈｍ（ｍ：０〜７のいずれかの整数）と垂直方向の制御線Ｒｖｎ（ｎ：０〜７のいずれかの整数）とを交差するように配置する。制御部ＤＧは、水平方向の制御ドライバＲｈと垂直方向の制御ドライバＲｖとを有し、各赤色ＬＥＤ（ＬＲｍｎ）について１個単位の発光制御を可能とする。緑色ＬＥＤ（ＬＧｍｎ）のための制御部ＤＧおよび青色ＬＥＤ（ＬＢｍｎ）のための制御部ＤＢについても同様に制御ドライバＧｈ，ＧｖおよびＢｈ，Ｂｖを有している。そして、これら３つの制御部ＤＲ，ＤＧ，ＤＢにより、文字／図柄表示のための第１の制御部が構成され、当該第１の制御部が各ＬＥＤ（ＬＲｍｎ，ＬＧｍｎ，ＬＢｍｎ）点灯を制御して文字または図柄（ピクトグラム等）を表示部Ｍに表示させる。
【００２１】
これに対し、白色ＬＥＤ（ＬＷｍｎ）のための制御部ＤＷは、第２の制御部として、第１の制御部とは独立して駆動し、表示部Ｍの表示面全体の輝度が制御されることにより、バックライトの光量が調節される。調節の方法は、昼夜二段切り替えでもよいし、視界センサや照度センサを用いて、自動制御する等のきめ細かな調節を行うことも適宜採用可能である。なお、本実施形態においては、制御部ＤＷについても制御部ＤＲ，ＤＧ，ＤＢと同様に、ＬＥＤ１個単位で発光制御（輝度制御）を行うことが可能である。これは、ＬＥＤの製造ロット等によって標準輝度が異なる場合があり、これを調節して表示部Ｍとして均一な輝度を有するバックライトを得るためである。
【００２２】
以上のように、本実施形態の情報表示装置は、文字／図柄表示用ＬＥＤ（ＬＲｍｎ，ＬＧｍｎ，ＬＢｍｎ）とは別のバックライト用ＬＥＤ（ＬＷｍｎ）を用い、バックライト用ＬＥＤ（ＬＷｍｎ）を第２の制御部ＤＷによって独立して制御するため、文字／図柄表示用ＬＥＤ（ＬＲｍｎ，ＬＧｍｎ，ＬＢｍｎ）により文字／図柄情報のコントラストを確保した上で、バックライト用ＬＥＤ（ＬＷｍｎ）により誘目性をより高める（情報表示装置の存在を知覚し易くする）ことができる。したがって、本情報表示装置を高速道路や一般道の路傍に設置し、注意換気や各種の道路情報等を表示することにより、通行者やドライバに対して確実な情報提供を行うことができる。
【００２３】
また、文字／図柄表示用ＬＥＤは、赤色ＬＥＤ（ＬＲｍｎ）、緑色ＬＥＤ（ＬＧｍｎ）および青色ＬＥＤ（ＬＢｍｎ）から構成されるため、様々な態様の情報表示が可能となる。一方、バックライト用ＬＥＤは、白色ＬＥＤ（ＬＷｍｎ）から構成されるため、バックライト点灯時に文字／図柄表示の色調に与える影響をより小さくすることができる。
【００２４】
本実施形態において、前記第１の制御部（制御部ＤＲ，ＤＧ，ＤＢ）は、前記ＬＥＤユニットＬｍｎを点灯制御して前記表示部Ｍに抜き文字／図柄を表示可能に構成される。図３は２４×２４ドットの表示部に表示された抜き文字の例を示す図である。なお、図３において、表示部Ｍに使用されるＬＥＤユニットＬｍｎが図１の情報表示装置より多いこと以外は図１の情報表示装置と同様の構成を有するものである。
【００２５】
図３においては、文字部分を消灯させ（ＬＦ部分）、その他の部分を点灯させる（ＬＮ部分）ことにより、表示部Ｍに文字を表示させる。この場合でもバックライト用ＬＥＤ（ＬＷｍｎ）は、独立して制御する（ＬＦ部分かＬＮ部分かに関わらず白色ＬＥＤ（ＬＷｍｎ）を全面で点灯制御する）ため、コントラストを高く維持することができ、通常の文字表示よりもコントラストによる視認性低下（文字の潰れ等）が激しい抜き文字／図柄においても鮮明な情報表示を行うことができる。
【００２６】
以上、本発明の情報表示装置に係る実施の形態を説明したが、本発明は上記実施の形態に限定されるものではなく、その趣旨を逸脱しない範囲内で種々の改良、変更、修正が可能である。
【００２７】
例えば、文字／図柄表示用ＬＥＤは２色や単色でもよく、その色も種々採用可能である。バックライト用ＬＥＤも白色に限られないが、文字／図柄表示用ＬＥＤと混色し難い組合せで用いることが好ましい。ＬＥＤユニット（１ドット）を構成するＬＥＤの数も本実施形態の４つに限られない。同色のＬＥＤが２つ以上あってもよい。また、第１の制御部は、本実施形態のように各色独立（制御部ＤＲ，ＤＧ，ＤＢ）でもよいし、統合して１つの制御部としてもよい。さらに、第２の制御部（制御部ＤＷ）は、マトリクス制御を行うことなく全体での輝度調節のみ行う構成としてもよい。また、表示部のドット数も上記の８×８ドットや２４×２４ドットの他、種々適用可能である。
【図面の簡単な説明】
【００２８】
【図１】本発明の一実施形態に係る情報表示装置における表示部の概略構造図である。
【図２】図１の表示部を制御する制御部の概略図である。
【図３】２４×２４ドットの表示部に表示された抜き文字の例を示す図である。
【符号の説明】
【００２９】
ＤＲ，ＤＧ，ＤＢ  第１の制御部
ＤＷ  第２の制御部
Ｌｍｎ  ＬＥＤユニット
ＬＲｍｎ  赤色ＬＥＤ（文字／図柄表示用ＬＥＤ）
ＬＧｍｎ  緑色ＬＥＤ（文字／図柄表示用ＬＥＤ）
ＬＢｍｎ  青色ＬＥＤ（文字／図柄表示用ＬＥＤ）
ＬＷｍｎ  白色ＬＥＤ（バックライト用ＬＥＤ）
Ｍ  表示部
【図１】
2007094333.tif 000003
【図２】
2007094333.tif 000004
【図３】
2007094333.tif 000005